(57)【要約】【課題】ＩＰＳ方式、ＦＦＳ方式による調光フィルムにおいて、調光フィルム越しに風景を目視した場合に、強い光の部位が分離して虹色に色づいて見える現象を有効に回避する。【解決手段】第１及び第２の積層体１３、１２により液晶層１４を挟持し、前記液晶層１４に係る液晶分子１４Ａの配向を制御して透過光を制御する調光フィルム１０において、前記第１の積層体１３には、線状電極２２Ｂが設けられ、前記線状電極２２Ｂによる横電界により前記液晶分子１４Ａの配向を制御し、前記線状電極の繰り返し方向に任意に選択した少なくとも２ｍｍの範囲において、連続する前記線状電極２２Ｂで、電極幅Ｗがランダムに変化するように、及び又は電極間の間隔Ｓがランダムに変化するように、前記線状電極２２Ｂが設けられた。【選択図】図５
2017122846.tif 000002
【特許請求の範囲】
【請求項１】
第１及び第２の積層体により液晶層を挟持し、前記液晶層に係る液晶分子の配向を制御して透過光を制御する調光フィルムにおいて、
前記第１の積層体には、線状電極が設けられ、前記線状電極による横電界により前記液晶分子の配向を制御し、
前記線状電極の繰り返し方向に任意に選択した少なくとも１ｍｍの範囲において、連続する前記線状電極で、電極幅がランダムに変化するように、及び又は電極間の間隔がランダムに変化するように、前記線状電極が設けられた
調光フィルム。
【請求項２】
前記線状電極は、
電極幅の標準偏差（σ）が０．１μｍ以上２．０μｍ以下である
請求項１に記載の調光フィルム。
【請求項３】
前記線状電極は、
電極間の間隔の標準偏差（σ）が０．２μｍ以上１．０μｍ以下である
請求項１に記載の調光フィルム。
【請求項４】
ＦＦＳ方式により、前記線状電極で前記横電界を形成する
請求項１、請求項２、請求項３の何れかに記載の調光フィルム。
【請求項５】
ＩＰＳ方式により、前記線状電極で前記横電界を形成する
請求項１、請求項２、請求項３の何れかに記載の調光フィルム。
【請求項６】
前記線状電極が三角波形状により蛇行して形成されて、マルチドメインが形成され、
前記線状電極の延長方向に任意に選択した少なくとも１０ｍｍの範囲において、連続する１対のドメインの長さが、前記線状電極の延長方向で、ランダムに変化するように前記線状電極が作製された
請求項１、請求項２、請求項３、請求項４、請求項５の何れかに記載の調光フィルム。
【請求項７】
透明フィルム材による基材に少なくとも線状電極、配向層を順次作製して第１の積層体を作製する第１の積層体作製工程と、
透明フィルム材による基材に配向層を作製して第２の積層体を作製する第２の積層体作製工程と、
液晶層を間に挟んで前記第１及び第２の積層体を積層して液晶セルを作製する積層工程とを備え、
前記第１の積層体作製工程は、
前記線状電極の繰り返し方向に任意に選択した少なくとも２ｍｍの範囲において、連続する前記線状電極で、電極幅がランダムに変化するように、及び又は電極間の間隔がランダムに変化するように、前記線状電極を作製する
調光フィルムの製造方法。
【発明の詳細な説明】
【技術分野】
【０００１】
本発明は、乗用車の窓等に貼り付けて外来光の透過を制御する調光フィルムに関する。
【背景技術】
【０００２】
従来、例えば窓に貼り付けて外来光の透過を制御する調光フィルムに関する工夫が種々に提案されている（特許文献１、２）。このような調光フィルムの１つに、液晶を利用したものがある。この液晶を利用した調光フィルムは、透明電極を作製した透明フィルム材により液晶材料を挟持して液晶セルが作製され、この液晶セルを直線偏光板により挟持して作成される。これによりこの調光フィルムでは、液晶に印加する電界の可変により液晶の配向を可変して外来光を遮光したり透過したりし、さらには透過光量を可変したりし、これらにより外来光の透過を制御する。
【０００３】
この液晶セルの駆動には、液晶表示パネルについて提案されている種々の駆動方法を適用することができ、具体的には、例えばＴＮ（Ｔｗｉｓｔｅｄ  Ｎｅｍａｔｉｃ）方式、ＩＰＳ（Ｉｎ−Ｐｌａｃｅ−Ｓｗｉｔｃｈｉｎｇ）方式、ＶＡ（Ｖｉｒｔｉｃａｌ  Ａｌｉｇｎｍｅｎｔ）方式等の駆動方式を適用することができる。しかしながら調光フィルムでは、例えば窓ガラスに貼り付けて種々の方向より見て取られる特長がある。これにより視野角依存性の少ないＩＰＳ方式により駆動することが好ましいと考えられる。
【０００４】
このＩＰＳ方式は、液晶層を挟持する１対の基材のうちの一方の基材に駆動用の電極をまとめて作製して、この電極により基材表面の面内方向の電界であるいわゆる横電界を形成して液晶の配向を制御する駆動方式である。ＩＰＳ方式は、例えば櫛歯形状による１対の電極を入れ子により配置して横電界を作製する。またＩＰＳ方式の１つであるＦＦＳ（フリンジフィールドスイッチング）方式は、透過率を高くすることができる。このＦＦＳ方式では、基材の全面に、透明電極を作製した後、絶縁層を間に挟んで一定のピッチにより線状電極を作製し、この全面の透明電極と線状電極との間で発生する横電界により液晶の配向を制御する。
【０００５】
このようなＩＰＳ方式による液晶表示装置に関して、特許文献３には、反射部を備えた半透過型の液晶表示装置において、画素内における反射板の凹凸パターンと電極パターンとの周期に起因したモアレ縞、虹色光を低減する工夫が提案されている。
【０００６】
ところで図９に示すように、窓に調光フィルム１を貼り付けて外来光の透過を制御する場合、ユーザー２は、調光フィルム越しに風景等を目視することになる。ＩＰＳ方式による調光フィルム、ＦＦＳ方式による調光フィルムでは、このように調光フィルム越しに風景を目視した場合に、この風景の中の強い光の部位が存在すると、この強い光の部位が分離して虹色に色づいて見える問題がある。
【先行技術文献】
【特許文献】
【０００７】
【特許文献１】特開平０３−４７３９２号公報
【特許文献２】特開平０８−１８４２４３号公報
【特許文献３】特開２００９−８２８８号公報
【発明の概要】
【発明が解決しようとする課題】
【０００８】
本発明はこのような状況に鑑みてなされたものであり、ＩＰＳ方式、ＦＦＳ方式による調光フィルムにおいて、調光フィルム越しに風景を目視した場合に、強い光の部位が分離して虹色に色づいて見える現象を有効に回避することを目的とする。
【課題を解決するための手段】
【０００９】
本発明者は、上記課題を解決するために鋭意研究を重ね、ＩＰＳ方式及びＦＦＳ方式に係る線状電極の規則性を緩和する、との着想に至り、本発明を完成するに至った。
【００１０】
具体的には、本発明では、以下のようなものを提供する。
【００１１】
（１）  第１及び第２の積層体により液晶層を挟持し、前記液晶層に係る液晶分子の配向を制御して透過光を制御する調光フィルムにおいて、
前記第１の積層体には、線状電極が設けられ、前記線状電極による横電界により前記液晶分子の配向を制御し、
前記線状電極の繰り返し方向に任意に選択した少なくとも２ｍｍの範囲において、連続する前記線状電極で、電極幅がランダムに変化するように、及び又は電極間の間隔がランダムに変化するように、前記線状電極が設けられた調光フィルム。
【００１２】
（１）によれば、ランダムな変化により規則性を緩和することができ、線状電極の規則性を低減して、調光フィルム越しに風景を目視した場合に、強い光の部位が分離して虹色に色づいて見える現象を有効に回避することができる。
【００１３】
（２）  （１）において、
前記線状電極は、
電極幅の標準偏差（σ）が０．１μｍ以上２．０μｍ以下である調光フィルム。
【００１４】
（２）によれば、より具体的構成により、規則性を緩和して、強い光の部位が分離して虹色に色づいて見える現象を有効に回避することができる。
【００１５】
（３）  （１）において、
前記線状電極は、
電極間の間隔の標準偏差（σ）が０．２μｍ以上１．０μｍ以下である調光フィルム。
【００１６】
（３）によれば、より具体的構成により、規則性を緩和して、強い光の部位が分離して虹色に色づいて見える現象を有効に回避することができる。
【００１７】
（４）  （１）、（２）、（３）の何れかにおいて、
ＦＦＳ方式により、前記線状電極で前記横電界を形成する調光フィルム。
【００１８】
（５）  （１）、（２）、（３）の何れかにおいて、
ＩＰＳ方式により、前記線状電極で前記横電界を形成する調光フィルム。
【００１９】
（４）、（５）によれば、ＦＦＳ方式、ＩＰＳ方式において、調光フィルム越しに風景を目視した場合に、強い光の部位が分離して虹色に色づいて見える現象を有効に回避することができる。
【００２０】
（６）  （１）、（２）、（３）、（４）、（５）の何れかにおいて、
前記線状電極が三角波形状により蛇行して形成されてマルチドメインが形成され、
前記線状電極の延長方向に任意に選択した少なくとも１０ｍｍの範囲において、連続する１対のドメインの長さが、前記線状電極の延長方向で、ランダムに変化するように前記線状電極が作製された調光フィルム。
【００２１】
（６）によれば、マルチドメインに係る線状電極の延長方向に係る規則性を緩和することができることにより、調光フィルム越しに風景を目視した場合に、強い光の部位が分離して虹色に色づいて見える現象を有効に回避することができる。
【００２２】
（７）  透明フィルム材による基材に少なくとも線状電極、配向層を順次作製して第１の積層体を作製する第１の積層体作製工程と、
透明フィルム材による基材に配向層を作製して第２の積層体を作製する第２の積層体作製工程と、
液晶層を間に挟んで前記第１及び第２の積層体を積層して液晶セルを作製する積層工程とを備え、
前記第１の積層体作製工程は、
前記線状電極の繰り返し方向に任意に選択した少なくとも２ｍｍの範囲において、連続する前記線状電極で、電極幅がランダムに変化するように、及び又は電極間の間隔がランダムに変化するように、前記線状電極を作製する調光フィルムの製造方法。
【００２３】
（７）によれば、ランダムな変化により規則性を緩和することができ、線状電極の規則性による干渉を低減して、調光フィルム越しに風景を目視した場合に、強い光の部位が分離して虹色に色づいて見える現象を有効に回避することができる。
【発明の効果】
【００２４】
本発明によれば、ＩＰＳ方式、ＦＦＳ方式による調光フィルムにおいて、調光フィルム越しに風景を目視した場合に、強い光の部位が分離して虹色に色づいて見える現象を有効に回避することができる。
【図面の簡単な説明】
【００２５】
【図１】本発明の第１実施形態に係る調光フィルムを示す団断面図である。
【図２】図１の調光フィルムにおける下側積層体を示す図である。
【図３】マルチドメインの説明に供する平面図である。
【図４】図２の線状電極の詳細を示す平面図である。
【図５】図３の線状電極をさらに拡大して詳細に示す平面図である。
【図６】調光フィルムの製造工程を示すフローチャートである。
【図７】図６の製造工程における上側積層体作製工程を示すフローチャートである。
【図８】図６の製造工程における下側積層体作製工程を示すフローチャートである。
【図９】虹色の色つきの説明に供する図である。
【発明を実施するための形態】
【００２６】
〔第１実施形態〕
図１は、本発明の第１実施形態に係る調光フィルムを示す断面図である。この調光フィルム１０は、フィルム形状により形成される。この調光フィルム１０は、液晶を利用して透過光を制御する調光フィルムであり、それぞれフィルム形状の第１及び第２の積層体である下側積層体１３及び上側積層体１２により液晶材料を挟持して液晶セル１５が作製され、この液晶セル１５を直線偏光板１６、１７により挟持して作成される。ここで液晶セル１５は、ＦＦＳ方式により液晶層１４に係る液晶分子１４Ａを駆動する横電界方式の液晶セルであり、直線偏光板１６、１７がクロスニコル配置により配置される。これにより下側積層体１３は、基材２１Ａの全面に、ＦＦＳ方式に係る透明電極２２Ａが形成され、絶縁層２３を間に挟んで透明の線状電極２２Ｂが形成され、続いて配向層２４Ａが設けられる。また上側積層体１２は、基材２１Ｂに配向層２４Ｂが設けられる。なおクロスニコル配置に代えてパラレルニコル配置により直線偏光板１６、１７を配置しても良い。
【００２７】
調光フィルム１０には、液晶層１４の厚みを一定に保持するためのスペーサー２４が上側積層体１２及び又は下側積層体１３に設けられる。直線偏光板１６、１７は、それぞれ液晶セル１５側に光学補償に供する位相差フィルム１８、１９が設けられる。なお位相差フィルム１８、１９は、必要に応じて省略してもよい。これによりこの調光フィルム１０は、電極２２Ａ、２２Ｂ間の印加電圧の可変により、液晶層１４に係る液晶分子１４Ａの配向方向を可変して入射光の透過を制御し、例えば透過状態と遮光状態とで状態を切り替えるように構成される。なお調光フィルム１０は、直線偏光板１６及び又は１７の液晶セル１５とは逆側の面に、ハードコート層等による保護層が設けられる。
【００２８】
基材２１Ａ、２１Ｂは、液晶セル１５に適用可能な可撓性を有する各種の透明フィルム材を適用することができ、この実施形態では、両面にハードコート層が作製されてなるポリカーボネート等によるフィルム材が適用される。電極２２Ａ、２２Ｂは、透明と知覚される種々の構成を広く適用することができ、この実施形態では、透明電極材であるＩＴＯ（Ｉｎｄｉｕｍ  Ｔｉｎ  Ｏｘｉｄｅ）による透明導電膜を基材２１Ａの全面に作製して電極２２Ａが作製される。また同様にして基材２１Ａの全面にＩＴＯによる透明導電膜を作製した後、パターニングして線状電極２２Ｂが作製される。
【００２９】
絶縁層２３は、この種の液晶セルに適用可能な各種の透明絶縁材料を適用することができ、各種の無機材料、有機材料を適用することができる。
【００３０】
配向層２４Ａ、２４Ｂは、ポリイミド等の配向層に適用可能な各種材料層が適用され、この材料層の表面にラビングロールを使用したラビング処理により微細なライン状凹凸形状を作製して形成される。なおこのようなラビング処理による配向層に代えて、ラビング処理により作製した微細なライン状凹凸形状を賦型処理により作製して配向層を作製してもよく、また光配向層により作製してもよい。
【００３１】
液晶層１４には、この種の調光フィルムに適用される各種の液晶材料を広く適用することができる。
【００３２】
スペーサー２４は、各種の樹脂材料を広く適用することができるものの、この実施形態ではフォトレジストにより作製される。なお液晶セル１５は、液晶層１４を囲む枠形状によりシール剤２５が配置され、このシール剤２５により液晶層１４に係る液晶の漏出が防止され、さらには上側積層体１２及び下側積層体１３が一体に保持される。ここでシール剤２５は、液晶の漏出を防止すると共に、上側積層体１２及び下側積層体１３を一体に保持可能な種々の材料を適用することができるものの、この実施形態では、例えばエポキシ樹脂剤による熱硬化型樹脂やアクリル樹脂剤による紫外線硬化樹脂、熱及び紫外線で硬化する硬化樹脂等が適用される。
【００３３】
直線偏光板１６、１７は、いわゆるシート・ポラライザーであり、ポリビニルアルコール（ＰＶＡ）にヨウ素等を含浸させた後、延伸して偏光子としての光学的機能を果たす光学機能層が形成され、ＴＡＣ（トリアセチルセルロース）等の透明フィルム材による基材により光学機能層を挟持して作製される。
【００３４】
〔電極〕
図２は、下側積層体１３における電極２２Ａ、２２Ｂを示す図である。この実施形態において、基材２１Ａ側の電極２２Ａは、基材２１Ａの全面に形成され、図示しない電源供給ラインにより駆動用の電源が供給される。さらに下側積層体１３は、この電極２２Ａの全面を覆うように絶縁層２３が形成される。下側積層体１３は、例えば基材２１Ａの長辺に沿って延長するように、基材２１Ａの端部に線状電極２２Ｂへの電源供給ライン２２ＢＡが形成される。ここで電源供給ライン２２ＢＡは、抵抗値の小さな金属材料膜等により形成される。下側積層体１３は、この電源供給ライン２２ＢＡからこの電源供給ライン２２ＢＡと直交する方向に延長するように線状電極２２Ｂが一定の間隔により形成される。
【００３５】
これにより調光フィルム１０では、全面の電極２２Ａと線状電極２２Ｂとの間で形成される電界により液晶層１４に係る液晶分子１４Ａの配向を制御して透過光を制御する。なお基材２１Ａ側の電極２２Ａにあっても、線状電極２２Ｂと同様に電源供給ラインを設けて駆動用電源を供給しても良い。また線状電極２２Ｂの電源供給ラインは、電源供給ライン２２ＢＡに加えて、他方の側の長辺に沿って配置するようにしてもよく、さらには一定のピッチにより３本以上配置してもよく、また当然に短辺に沿って延長するように作製してもよい。
【００３６】
さらにこの実施形態においては、電極２２Ｂは、このように短辺に沿って延長するように作製されて、この延長する方向に三角波形状により蛇行するようにして形成され、これにより２ドメインによるマルチドメインにより液晶分子を駆動する。
【００３７】
図３は、この線状電極２２Ｂを拡大して、この線状電極２２Ｂの蛇行に係る構成を詳細に示す平面図である。線状電極２２Ｂは、線状電極２２Ｂの延長方向に対して斜めに傾くようにして、この斜めに傾く方向が一定のピッチで交互に切り替わるように形成され、これにより三角波形状により蛇行するように形成される。これにより調光フィルム１０は、線状電極２２Ｂの駆動により、矢印Ａにより示すように、液晶分子１４Ａを反時計方向に回転させたり、矢印Ｂにより示すように、液晶分子１４Ａを時計方向に回転させたりし、連続するドメインにおける液晶分子１４Ａの回転の向きを異ならせるようにする。これにより調光フィルム１０では、このように液晶分子１４Ａの回転方向が異なる２つのドメインにおける見え方を平均値化し、視野角の変化による透過光量の変化を低減して視野角特性を向上する。
【００３８】
このように一定のピッチで傾きの向きを切り替えるようにして、図４に示すように、調光フィルム１０では、傾きの切り替わりの１周期に係るピッチＰ１、Ｐ２、Ｐ３が、このピッチに係る１対のドメインの連続でランダムに変化するように形成される。これにより調光フィルム１０では、ドメイン毎に、線状電極の幅及び間隔の基材に対するｘ方向成分及びｙ方向成分（線状電極の繰り返し方向及び延長方向の各長さである）が変化することになり、一段と虹色に係る色づきを防止することができる。
【００３９】
なお調光フィルム１０では、このピッチＰ１、Ｐ２、Ｐ３の１周期に係る１対のドメインでは、各ドメインの長さが等しくなるように線状電極２２Ｂを作製する。これにより図４においては、ピッチＰ１Ａ及びＰ１Ｂ、ピッチＰ２Ａ及びＰ２Ｂ、ピッチＰ３Ａ及びＰ３Ｂがそれぞれ等しくなるように線状電極２２Ｂを作製する。これにより調光フィルム１０では、対を成す連続する２つのドメインにおける見え方を確実に平均値化して視野角特性を向上する。
【００４０】
調光フィルム１０において、線状電極２２Ｂは、ピッチＰ１、Ｐ２、Ｐ３の平均値が１００μｍ以上３００μｍ以下により、より好ましくは平均値が１５０μｍ以上２００μｍ以下により作製される。さらに線状電極２２Ｂは、規則性を緩和して風景がぼやけて見て取られる現象を充分に回避可能に、１対のドメインの連続において、ピッチＰ１、Ｐ２、Ｐ３がランダムに変化することにより、ピッチＰがばらつくことになる。ここでこのバラツキは、標準偏差（σ）が３０μｍ以上２００μｍ以下により、より好ましくは６０μｍ以上１２０μｍ以下により作製される。またこのようにバラツキを設定して、同一の値によるピッチが連続して局所的に規則性が担保されることが無いように、隣接するピッチの差分絶対値が１０μｍ以下である部位が連続して発生しないように作製される。
【００４１】
線状電極２２Ｂは、このようにして蛇行に係る規則性を緩和するように作製されて、線状電極の延長方向に２ｍｍ以上の繰り返しピッチで、同一のパターンが繰り返すように作製され、これによりランダム配置に係るマスクを繰り返し使用したパターニングにより、又はランダム配置に係る局所的なマスクを繰り返し使用して作製した大面積のマスクを使用したパターニングにより作製できるように構成される。
【００４２】
ここでこの線状電極の延長方向に係る同一パターンの繰り返しピッチは、このピッチが小さいと線状電極の規則性を充分に緩和できないことによりぼやけが観察されることになる。しかしながらこの同一パターンの繰り返しピッチを余りに大きくすると、線状電極のパターニングに供するマスクの作製が煩雑になる。これによりこの同一パターンの繰り返しピッチは、２ｍｍ以上１０ｍｍ以下に設定され、より好ましくは３ｍｍ以上５ｍｍ以下に設定される。
【００４３】
これによりこの実施形態において、線状電極２２Ｂの延長方向に任意に選択した少なくとも２ｍｍの範囲において、連続する１対のドメインの長さに係るピッチが、連続するドメインでランダムに設定されていることになる。
【００４４】
〔色づきの防止〕
図５は、さらに部分的に拡大して線状電極２２Ｂを詳細に示す図である。線状電極２２Ｂは、電極幅Ｗがランダムに変化するように、また電極間の間隔Ｓがランダムに変化するように作製され、これにより線状電極２２Ｂの繰り返しに係る規則性が緩和され、強い光の部位が分離して虹色に色づいて見える現象が回避される。
【００４５】
すなわち線状電極に適用されるＩＴＯは、屈折率が大きく、界面で接する有機物層と屈折率の差が大きく、これにより調光フィルムでは、線状電極に係る周期構造が回折格子として機能することになる。しかしながらＩＴＯに係る線状電極は厚みが薄く、これにより線状電極の周期構造による回折格子の機能にあっては、効率が悪く、これにより風景に強い光の部位が存在した場合にのみ、この強い光の部位が０次光、１次光に分離して虹色に色づいて見て取られることになる。これにより線状電極の規則性を緩和することにより、線状電極による干渉を低減し、虹色の色つきを防止することができる。
【００４６】
ここで線状電極２２Ｂは、幅Ｗの平均値が５μｍ以上８μｍ以下により、好ましくは平均値が５μｍ以上７μｍ以下により、より好ましくは５．５μｍ以６．５μｍ以下により作製される。また線状電極の間隔Ｓは、平均値が５μｍ以上８μｍ以下により、好ましくは平均値が５μｍ以上８μｍ以下により、好ましくは平均値が５μｍ以上７μｍ以下により、より好ましくは５．５μｍ以上６．５μｍ以下により作製される。なおこの実施形態において、線状電極２２Ｂの幅Ｗの平均値、線状電極２２Ｂの間隔Ｓの平均値は、それぞれ５μｍに設定される。調光フィルム１０は、連続する線状電極２２Ｂでこの幅Ｗ及び間隔Ｓをランダムに変化させて規則性を緩和する。なお幅Ｗ及び間隔Ｓの一方みの変化により規則性を緩和するようにしてもよい。
【００４７】
ここで幅Ｗ及び間隔Ｓをランダムに変化させれば、幅Ｗ及び間隔Ｓはばらつくことになる。ここでこのバラツキにより規則性を充分に緩和できるように、幅Ｗのバラツキは、標準偏差（σ）が０．１μｍ以上２．０μｍ以下により、より好ましくは０．１μｍ以上０．１５μｍ以下により作製される。また間隔Ｓのバラツキは、標準偏差（σ）が０．１μｍ以上２．０μｍ以下により、より好ましくは０．２μｍ以上１．０μｍ以下により作製される。
【００４８】
またこのようにバラツキを設定して、同一の電極幅Ｗによる線状電極２２Ｂが連続して局所的に規則性が担保されることが無いように、ほぼ同一電極幅Ｗ（電極幅Ｗの差分絶対値が０．１μｍ以下の場合である）の線状電極２２Ｂが３本以上連続しないように（幅方向に５０μｍ以上の領域を占めないように）設定される。また同様に、同一の間隔Ｓによる線状電極２２Ｂが連続して局所的に規則性が担保されることが無いように、ほぼ同一間隔ＳＷ（間隔Ｓの差分絶対値が０．１μｍ以下の場合である）の線状電極２２Ｂの対が３対以上連続しないように（幅方向に５０μｍ以上の領域を占めないように）設定される。
【００４９】
線状電極２２Ｂは、このようにして規則性を緩和するように作製されて、線状電極２２Ｂの繰り返し方向に一定の繰り返しピッチで、同一のパターンが繰り返すように作製され、これによりランダム配置に係るマスクを繰り返し使用したパターニングにより、又はランダム配置に係る局所的なマスクを繰り返し使用して作製された大面積のマスクを使用したパターニングにより作製できるように構成される。
【００５０】
ここでこの同一パターンの繰り返しピッチにあっては、このピッチが小さいと線状電極の規則性を充分に緩和できないことにより虹色の色つきが観察されることになる。しかしながらこの同一パターンの繰り返しピッチを余りに大きくすると、線状電極のパターニングに供するマスクの作製が煩雑になる。これによりこの同一パターンの繰り返しピッチは、２．０ｍｍ以上１０ｍｍ以下に設定され、より好ましくは５ｍｍ以上１０ｍｍ以下に設定される。
【００５１】
なおこれによりこの実施形態において、線状電極の電極幅及び間隔のランダムな設定は、少なくともこの同一パターンの繰り返しピッチである少なくとも２．０ｍｍの範囲で担保される。従って調光フィルム１０は、線状電極の繰り返し方向に任意に選択した少なくとも２．０ｍｍの範囲において、連続する線状電極２２Ｂで、電極幅Ｗがランダムに変化するように、及び又は電極間の間隔Ｓがランダムに変化するように作製される。
【００５２】
〔製造工程〕
図６は、調光フィルムの製造工程の説明に供するフローチャートである。調光フィルムの製造工程は、上側積層体作製工程ＳＰ２及び下側積層体作製工程ＳＰ３において、それぞれ上側積層体１２及び下側積層体１３が作製される。また積層工程ＳＰ４において、液晶層１４を間に挟んで、上側積層体１２及び下側積層体１３を積層した後、シール剤２５により一体化して液晶セルが作製される。調光フィルムの製造工程は、このようにして作製した液晶セルを直線偏光板と積層一体化して調光フィルムが作製される。
【００５３】
図７は、上側積層体作製工程ＳＰ２を詳細に示すフローチャートである。この上側積層体作製工程ＳＰ２（ＳＰ１１）においては、配向層作製工程ＳＰ１２において、基材２１Ｂに配向層２４Ｂに係る塗工液が塗工されて乾燥、硬化されることにより、配向層２４Ｂの材料層が形成される。この製造工程は、ラビングロールを使用したラビング処理により、配向層材料層の表面に微細なライン状凹凸形状が作製されて配向層２４Ｂが作製され、これにより上側積層体１２が作製される。
【００５４】
図８は、下側積層体作製工程ＳＰ３を詳細に示すフローチャートである。この下側積層体作製工程ＳＰ３（ＳＰ２１）においては、電極作製工程ＳＰ２２において、基材２１Ａの全面に、スパッタリングによりＩＴＯによる透明電極２２Ａが作製される。続いてこの製造工程は、絶縁層作製工程ＳＰ２３において、絶縁層２３が作製される。なおこの絶縁層作製工程は、絶縁層２３に適用する材料に応じて例えば塗工液の塗工、乾燥、硬化により絶縁層２３が作製される。
【００５５】
続いてこの製造工程は、電極作製工程ＳＰ２４において、線状電極２２Ｂが作製される。より具体的に、この電極作製工程ＳＰ２４においては、金属層作製工程ＳＰ２４−１において、スパッタリング装置を使用したスパッタリングにより、基材２１Ａの全面に、線状電極２２Ｂに係る金属材料を堆積して金属層が作製される。また続くパターンニング工程ＳＰ２４−２におけるパターンニングにより、線状電極２２Ｂが作製される。この実施形態では、このパターング工程におけるパターニングにより線状電極２２Ｂに係る規則性が緩和される。
【００５６】
このようにして線状電極２２Ｂを作製すると、この製造工程は、スペーサー作製工程ＳＰ２５において、全面にフォトレジストを塗工して乾燥させた後、マスクを使用した露光処理、現像処理によりスペーサー２４を作製する。
【００５７】
続いて配向層作製工程ＳＰ２６において、配向層２４Ａに係る塗工液を塗工して乾燥、硬化することにより、配向層２４Ａの材料層が形成される。この製造工程は、ラビングロールを使用したラビング処理により、この配向層材料層の表面に微細なライン状凹凸形状が作製されて配向層２４Ａが作製され、これにより下側積層体１３が作製される。
【００５８】
以上の構成によれば、線状電極の電極幅及び間隔をランダムに設定することにより、線状電極の規則性を緩和して線状電極の干渉による虹色の色つきを有効に回避するこ戸ができる。
【００５９】
〔第２実施形態〕
この実施形態では、ＩＰＳ方式による横電界により液晶分子を駆動する。この実施形態では、この横電界の作製方法に関する電極の構成が異なる点を除いて、第１実施形態と同一に構成される。
【００６０】
このためこの実施形態では、下側積層体に係る透明フィルム材による基材の全面に、スパッタリングによりＩＴＯによる透明電極材料が作製された後、この透明電極材料のパターニングにより、線状電極を順次配列してなる第１及び第２の櫛歯状電極が、入れ子により配置され、この線状電極間の電界により横電界が作製される。
【００６１】
この実施形態では、この第１及び第２の櫛歯状電極に係る線状電極が、第１実施形態について上述した線状電極と同様に、ランダムな電極幅の設定により、及び又はランダムな電極間間隔の設定により作製される。また延長方向に三角波形状に蛇行するように作製されてマルチドメイン化され、連続する１対のドメインに係るピッチが、第１実施形態と同様にランダムに設定される。
【００６２】
この実施形態のようにＩＰＳ方式による駆動に適用しても、第１実施形態と同様の効果を得ることができる。
【００６３】
〔他の実施形態〕
以上、本発明の実施に好適な具体的な構成を詳述したが、本発明は、本発明の趣旨を逸脱しない範囲で、上述の実施形態を組み合わせ、さらには上述の実施形態を種々に変更することができる。
【００６４】
すなわち上述の実施形態では、マルチドメインにより調光フィルムを作製する場合について述べたが、本発明はこれに限らず、線状電極の蛇行を中止して、シングルドメインにより調光フィルムを作製する場合にも広く適用することができる。
【符号の説明】
【００６５】
１、１０  調光フィルム
２  ユーザー
１２  上側積層体
１３  下側積層体
１４  液晶層
１４Ａ  液晶分子
１５  液晶セル
１６、１７  直線偏光板
１８、１９  位相差フィルム
２１Ａ、２１Ｂ  基材
２２Ａ  電極
２２Ｂ  線状電極
２２ＢＡ電源供給ライン
２３  絶縁層
２４Ａ、２４Ｂ  配向層
２５  シール剤
【図１】
2017122846.tif 000003
【図２】
2017122846.tif 000004
【図３】
2017122846.tif 000005
【図４】
2017122846.tif 000006
【図５】
2017122846.tif 000007
【図６】
2017122846.tif 000008
【図７】
2017122846.tif 000009
【図８】
2017122846.tif 000010
【図９】
2017122846.tif 000011
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
第１及び第２の積層体により液晶層を挟持し、前記液晶層に係る液晶分子の配向を制御して透過光を制御する調光フィルムにおいて、
前記第１の積層体には、線状電極が設けられ、前記線状電極による横電界により前記液晶分子の配向を制御し、
前記線状電極の繰り返し方向に任意に選択した範囲において、連続する前記線状電極で、電極幅がランダムに変化するように、及び又は電極間の間隔がランダムに変化するように、前記線状電極が設けられた
調光フィルム。
【請求項２】
前記線状電極の繰り返し方向に任意に選択した前記範囲が少なくとも２ｍｍである
請求項１に記載の調光フィルム。
【請求項３】
前記線状電極は、
電極幅の標準偏差（σ）が０．１μｍ以上２．０μｍ以下である
請求項１又は請求項２に記載の調光フィルム。
【請求項４】
前記線状電極は、
電極間の間隔の標準偏差（σ）が０．２μｍ以上１．０μｍ以下である
請求項１又は請求項２に記載の調光フィルム。
【請求項５】
ＦＦＳ方式により、前記線状電極で前記横電界を形成する
請求項１、請求項２、請求項３、請求項４の何れかに記載の調光フィルム。
【請求項６】
ＩＰＳ方式により、前記線状電極で前記横電界を形成する
請求項１、請求項２、請求項３、請求項４の何れかに記載の調光フィルム。
【請求項７】
前記線状電極が三角波形状により蛇行して形成されて、マルチドメインが形成され、
前記線状電極の延長方向に任意に選択した少なくとも１０ｍｍの範囲において、連続する１対のドメインの長さが、前記線状電極の延長方向で、ランダムに変化するように前記線状電極が作製された
請求項１、請求項２、請求項３、請求項４、請求項５、請求項６の何れかに記載の調光フィルム。
【請求項８】
透明フィルム材による基材に少なくとも線状電極、配向層を順次作製して第１の積層体を作製する第１の積層体作製工程と、
透明フィルム材による基材に配向層を作製して第２の積層体を作製する第２の積層体作製工程と、
液晶層を間に挟んで前記第１及び第２の積層体を積層して液晶セルを作製する積層工程とを備え、
前記第１の積層体作製工程は、
前記線状電極の繰り返し方向に任意に選択した少なくとも２ｍｍの範囲において、連続する前記線状電極で、電極幅がランダムに変化するように、及び又は電極間の間隔がランダムに変化するように、前記線状電極を作製する
調光フィルムの製造方法。
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
第１及び第２の積層体により液晶層を挟持し、前記液晶層に係る液晶分子の配向を制御して透過光を制御する調光フィルムにおいて、
前記第１の積層体には、線状電極が設けられ、前記線状電極による横電界により前記液晶分子の配向を制御し、
前記線状電極の繰り返し方向に任意に選択した少なくとも２ｍｍの範囲において、連続する前記線状電極で、電極幅がランダムに変化するように、及び又は電極間の間隔がランダムに変化するように、前記線状電極が設けられた
調光フィルム。
【請求項２】
前記線状電極は、
電極幅の標準偏差（σ）が０．１μｍ以上２．０μｍ以下である
請求項１に記載の調光フィルム。
【請求項３】
前記線状電極は、
電極間の間隔の標準偏差（σ）が０．２μｍ以上１．０μｍ以下である
請求項１に記載の調光フィルム。
【請求項４】
ＦＦＳ方式により、前記線状電極で前記横電界を形成する
請求項１、請求項２、請求項３の何れかに記載の調光フィルム。
【請求項５】
ＩＰＳ方式により、前記線状電極で前記横電界を形成する
請求項１、請求項２、請求項３の何れかに記載の調光フィルム。
【請求項６】
前記線状電極が三角波形状により蛇行して形成されて、マルチドメインが形成され、
前記線状電極の延長方向に任意に選択した少なくとも１０ｍｍの範囲において、連続する１対のドメインの長さが、前記線状電極の延長方向で、ランダムに変化するように前記線状電極が作製された
請求項１、請求項２、請求項３、請求項４、請求項５の何れかに記載の調光フィルム。
【請求項７】
透明フィルム材による基材に少なくとも線状電極、配向層を順次作製して第１の積層体を作製する第１の積層体作製工程と、
透明フィルム材による基材に配向層を作製して第２の積層体を作製する第２の積層体作製工程と、
液晶層を間に挟んで前記第１及び第２の積層体を積層して液晶セルを作製する積層工程とを備え、
前記第１の積層体作製工程は、
前記線状電極の繰り返し方向に任意に選択した少なくとも２ｍｍの範囲において、連続する前記線状電極で、電極幅がランダムに変化するように、及び又は電極間の間隔がランダムに変化するように、前記線状電極を作製する
調光フィルムの製造方法。